(57)【要約】【課題】下枠の排水性や防虫性を確保しつつ外観意匠性の向上や低コスト化を図ることができる建具を提供すること。【解決手段】障子ストッパー２０のカバー部２５で排水孔３６１を覆ったことで、下枠３における排水性および防虫性を確保しつつ、排水孔３６１，３８１に別途の排水弁や防虫部品を設ける必要がないことから、部品点数の増加に伴う製品コストの上昇を抑制することができる。さらに、排水孔３８１に排水弁等を設ける必要がなくなることから、下枠３の屋外側に多くの取付部品が露出することもないため、引違い窓１の外観意匠性を向上させることができる。【選択図】図３
2012017623.tif 000002
【特許請求の範囲】
【請求項１】
下枠を有した枠体と、この枠体に左右開閉自在に支持される面材と、この面材よりも屋外側にて前記枠体に支持される防虫面材とを備えた建具であって、
前記下枠は、前記面材を開閉支持する面材支持部と、見込み方向に延びて前記面材支持部よりも下方に設けられる下枠底面部と、この下枠底面部よりも屋外側に延びる第２底面部と、この第２底面部の屋外側端部から立ち上がって前記防虫面材を支持する防虫面材支持部とを有して構成され、前記下枠の長手方向一端部には、開放した前記面材に当接して当該面材の移動を規制する当接部材が取り付けられるとともに、前記第２底面部を上下に貫通する排水孔が形成され、
前記当接部材は、前記面材に当接可能な当接本体と、前記下枠に取り付け支持される支持部と、前記当接本体よりも屋外側に突出して前記排水孔の上側を覆うカバー部とを有して形成されている建具。
【請求項２】
前記下枠は、前記面材よりも屋外側かつ前記防虫面材支持部の屋内側に対向して前記下枠底面部から立ち上がる立上り片部を有し、前記下枠の長手方向一端部における前記立上り片部に切欠きが形成され、
前記当接部材は、前記当接本体が前記立上り片部よりも屋内側に位置し、前記カバー部が前記切欠きに挿通されて前記立上り片部よりも屋外側に突出して設けられている請求項１に記載の建具。
【請求項３】
前記当接部材は、前記当接本体よりも屋外側に突出しかつ前記カバー部よりも上方に位置する突出部を有して形成され、この突出部が前記切欠きに挿通されて前記立上り片部よりも屋外側に突出して設けられ、前記防虫面材の下端部屋内側側面が当該突出部に摺接可能に設けられている請求項２に記載の建具。
【請求項４】
前記当接部材のカバー部は、前記当接本体の上面よりも低い位置に設けられ、このカバー部よりも上側を前記防虫面材の下端部が通過可能に構成されている請求項１から請求項３のいずれかに記載の建具。
【発明の詳細な説明】
【技術分野】
【０００１】
本発明は、建具に関し、詳しくは、枠体に左右開閉自在に支持される面材を有した引違い窓や片引き窓等の建具であって、面材の屋外側に網戸等の防虫面材を備えた建具に関する。
【背景技術】
【０００２】
従来、引違い窓等の建具において、室内外の障子（面材）よりも屋外側に網戸が設けられることが一般的であり、このような建具における下枠の排水構造が提案されている（例えば、特許文献１参照）。
特許文献１に記載された建具の排水構造では、下枠底面やレールの基端部などに複数の貫通孔が形成されるとともに、下枠の屋外側見付け面に複数の排水孔が形成され、これら複数の排水孔に各々排水弁が取り付けられており、排水弁を設けることで屋外側から雨水等が逆流せず、また虫等の侵入が防止できるようになっている。
【先行技術文献】
【特許文献】
【０００３】
【特許文献１】特許第４１７２７８５号公報
【発明の概要】
【発明が解決しようとする課題】
【０００４】
しかしながら、前記特許文献１に記載された従来の排水構造では、下枠底面の貫通孔から下枠中空部に落下させた水を排水するための第１排水孔と、網戸レールと屋外レールとの間で下枠底面に溜まった水を排水するための第２排水孔とが設けられ、これら高さの異なる第１および第２の排水孔に各々排水弁が取り付けられていることから、排水弁の設置箇所数が多くなってしまうという不都合がある。このため、従来の排水構造では、建具の屋外側から多くの排水弁が見えてしまって外観意匠性が低下するとともに、部品点数が多くなることから製品コストが増加してしまうという問題がある。
【０００５】
本発明の目的は、下枠の排水性や防虫性を確保しつつ外観意匠性の向上や低コスト化を図ることができる建具を提供することにある。
【課題を解決するための手段】
【０００６】
本発明の建具は、下枠を有した枠体と、この枠体に左右開閉自在に支持される面材と、この面材よりも屋外側にて前記枠体に支持される防虫面材とを備えた建具であって、前記下枠は、前記面材を開閉支持する面材支持部と、見込み方向に延びて前記面材支持部よりも下方に設けられる下枠底面部と、この下枠底面部よりも屋外側に延びる第２底面部と、この第２底面部の屋外側端部から立ち上がって前記防虫面材を支持する防虫面材支持部とを有して構成され、前記下枠の長手方向一端部には、開放した前記面材に当接して当該面材の移動を規制する当接部材が取り付けられるとともに、前記第２底面部を上下に貫通する排水孔が形成され、前記当接部材は、前記面材に当接可能な当接本体と、前記下枠に取り付け支持される支持部と、前記当接本体よりも屋外側に突出して前記排水孔の上側を覆うカバー部とを有して形成されていることを特徴とする。
【０００７】
ここで、本発明の建具としては、引違い窓であってもよいし、片引き窓や引分け窓などであってもよい。すなわち、一対の面材がそれぞれ開閉自在に設けられた引違い窓であれば、屋外側の面材を移動規制する当接部材が設けられていればよい。また、開閉自在な面材である可動面材を１枚有する片引き窓や、可動面材を２枚有する引分け窓であれば、固定面材や壁等の屋外側に沿って可動面材が開閉自在に設けられ、このような可動面材を移動規制する当接部材が設けられていればよい。
以上の本発明によれば、下枠における防虫面材支持部よりも屋内側に位置する第２底面部に排水孔を形成し、この排水孔から第２底面部に溜まった水を排水することで、排水性を確保することができる。さらに、面材の開放移動を規制する当接部材にカバー部を形成し、このカバー部で排水孔の上側を覆うことで、排水孔からの虫等の侵入を防止して防虫性を確保することができるとともに、別途排水弁や防虫部品等を設ける必要がなく当接部材が兼用できるので、部品点数の増加に伴う製品コストの上昇を抑制することができる。さらに、下枠の屋外側などに排水弁等の取付部品が多く露出することもないため、建具の外観意匠性を向上させることができる。
【０００８】
この際、本発明の建具では、前記下枠は、前記面材よりも屋外側かつ前記防虫面材支持部の屋内側に対向して前記下枠底面部から立ち上がる立上り片部を有し、前記下枠の長手方向一端部における前記立上り片部に切欠きが形成され、前記当接部材は、前記当接本体が前記立上り片部よりも屋内側に位置し、前記カバー部が前記切欠きに挿通されて前記立上り片部よりも屋外側に突出して設けられていることが好ましい。
このような構成によれば、立上り片部と防虫面材支持部および第２底面部とで凹溝状に形成された屋外凹溝部を下枠が有する場合であっても、立上り片部の切欠きを介して当接部材のカバー部を突出させることで、前述の通り排水孔をカバー部で覆い、排水孔からの虫等の侵入を防止して防虫性を確保することができる。
【０００９】
さらに、本発明の建具では、前記当接部材は、前記当接本体よりも屋外側に突出しかつ前記カバー部よりも上方に位置する突出部を有して形成され、この突出部が前記切欠きに挿通されて前記立上り片部よりも屋外側に突出して設けられ、前記防虫面材の下端部屋内側側面が当該突出部に摺接可能に設けられていることが好ましい。
このような構成によれば、立上り片部の切欠きを介して屋外側に突出する突出部を当接部材に形成し、この突出部に防虫面材の下端部屋内側側面を摺接させることで、摺接による摩擦抵抗によって防虫面材の移動を拘束することができ、閉じた防虫面材が風等によって不意に開くことを防止して防虫性をさらに高めることができる。
【００１０】
また、本発明の建具では、前記当接部材のカバー部は、前記当接本体の上面よりも低い位置に設けられ、このカバー部よりも上側を前記防虫面材の下端部が通過可能に構成されていることが好ましい。
このような構成によれば、当接本体の上面よりも低い位置にカバー部を形成し、このカバー部よりも上側を防虫面材の下端部が通過するように構成したことで、当接本体と面材との当接状態を確保しつつ防虫面材の開閉動作を阻害しないようにできるとともに、排水孔が防虫面材の下方まで延びて形成された場合であっても、この排水孔を確実にカバー部で覆って防虫性を確保することができる。
【図面の簡単な説明】
【００１１】
【図１】本発明の実施形態に係る建具を示す縦断面図である。
【図２】前記建具を示す横断面図である。
【図３】前記建具における下枠部分を拡大して示す縦断面図である。
【図４】前記下枠の一端部を拡大して示す斜視図である。
【発明を実施するための形態】
【００１２】
以下、本発明の一実施形態に係る建具としての引違い窓１を図面に基づいて説明する。
図１および図２において、引違い窓１は、戸建て住宅等における外壁開口部に設けられて建物の室内空間と室外空間とを仕切る窓であって、上枠２、下枠３および左右の縦枠４を四周枠組みした枠体としての窓枠５と、この窓枠５の内部に左右開閉自在に支持された室内外一組の障子６，７と、室外側障子７よりも屋外側にて窓枠５に左右移動自在に支持された防虫面材としての網戸８とを備えて構成されている。室内側障子６および室外側障子７は、それぞれ上框１１、下框１２および左右の縦框１３を四周框組みした内部に、ガラスパネル（複層ガラス）１４を嵌め込んで構成されている。網戸８は、それぞれアルミ形材製の上框１５、下框１６および左右の縦框１７を四周框組みした内部に防虫ネット１８を取り付けて構成されている。
【００１３】
窓枠５における上枠２、下枠３および左右の縦枠４は、それぞれ樹脂製の枠本体２Ａ，３Ａ，４Ａを有して構成され、下枠３の枠本体３Ａには、アルミ形材製の内レール部材３Ｂおよび外レール部材３Ｃが取り付けられ、これらのレール部材３Ｂ，３Ｃにそれぞれ案内されることで、室内側障子６および室外側障子７が左右に開閉移動できるようになっている。一方、室内側障子６および室外側障子７における上框１１、下框１２および左右の縦框１３は、それぞれ樹脂製の框本体１１Ａ，１２Ａ，１３Ａと、樹脂製の押縁材１１Ｂ，１２Ｂ，１３Ｂとを有して構成され、框本体１１Ａ，１２Ａ，１３Ａと押縁材１１Ｂ，１２Ｂ，１３Ｂとで挟持することによってガラスパネル１４が保持されている。
【００１４】
下枠３の枠本体３Ａは、図３にも示すように、見込み方向に延びる下枠底面部３１と、この下枠底面部３１の下方に対向する下面部３２と、下枠底面部３１の屋内側端部から立ち上がる屋内側立上り片部３３と、室内外の障子６，７間にて下枠底面部３１から立ち上がる中間立上り片部３４と、下枠底面部３１の屋外側端部から立ち上がる屋外側立上り片部（立上り片部）３５と、屋外側立上り片部３５から屋外側に延びる第２底面部３６と、この第２底面部３６の屋外側端部から屋外側立上り片部３５の屋外側に対向して立ち上がるとともに網戸８を支持する防虫面材支持部としての網戸レール部３７とを有して形成されている。一方、縦枠４の枠本体４Ａは、図４にも示すように、下枠３の枠本体３Ａと略同様の断面を有するものであって、縦枠見込み面部４１と、側面部４２と、屋内側延出片部４３と、中間延出片部４４と、屋外側延出片部４５と、網戸引寄せ片部４７とを有して形成されている。
【００１５】
さらに、下枠３の枠本体３Ａには、下枠底面部３１と屋内側立上り片部３３と中間立上り片部３４とで三方を囲まれて上方に開口した凹溝３Ｄが形成され、この凹溝３Ｄに取り付けられた内レール部材３Ｂによって屋内障子支持部が構成され、下枠底面部３１と中間立上り片部３４と屋外側立上り片部３５とで三方を囲まれて上方に開口した凹溝３Ｅが形成され、この凹溝３Ｅに取り付けられた外レール部材３Ｃによって屋外障子支持部（面材支持部）が構成されている。また、下枠底面部３１と下面部３２との間には下枠中空部３Ｆが形成され、この下枠中空部３Ｆは、複数の仕切り片３２１で仕切られるとともに、下枠中空部３Ｆの屋外側を囲む屋外見付け面部３２２には、図１に示すように排水弁３Ｇが取り付けられ、下枠中空部３Ｆ内に入った水が排水弁３Ｇを介して屋外側に排水可能に構成されている。また、第２底面部３６および網戸レール部３７の下側には、下枠第２中空部３Ｈが形成され、この下枠第２中空部３Ｈの下面を構成する下枠第２下面部３８には、図３に破線で示すように排水孔３８１が形成され、下枠第２中空部３Ｈ内に入った水が排水孔３８１から屋外側に排水可能に構成されている。
【００１６】
以上の下枠３において、その長手方向一端部である室外側障子７の開放方向側（図２の右側）の端部には、開放した室外側障子７の縦框１３下端部側面に当接して当該室外側障子７の開放移動を規制する当接部材としての障子ストッパー２０が取り付けられている。この障子ストッパー２０は、樹脂製の一体成形部品であって、室外側障子７に当接可能な当接本体としてのストッパー本体２１と、屋外側の凹溝３Ｅに取り付け支持される支持部としての一対の支持片部２２，２３とを有して形成されている。一対の支持片部２２，２３のうち、屋内側の支持片部２２は、中間立上り片部３４の基端部に形成された係止突起３４１に係止され、屋外側の支持片部２３は、屋外側立上り片部３５の基端部に形成された係止突起３５１に係止され、これによって障子ストッパー２０が枠本体３Ａに取り付けられるようになっている。また、障子ストッパー２０は、ストッパー本体２１の過半の部分が縦枠４の枠本体４Ａにおける中間延出片部４４と屋外側延出片部４５との間に挿入されるとともに、中間延出片部４４および屋外側延出片部４５の基端部に係止されることで、水平方向に移動不能に取り付けられるようになっている。
【００１７】
また、障子ストッパー２０が設けられる下枠３の長手方向一端部において、枠本体３Ａの屋外側立上り片部３５には、縦枠４の屋外側延出片部４５先端から所定の幅寸法の範囲が切り欠かれた切欠き３５２が形成されるとともに、第２底面部３６には、切欠き３５２と連続して当該第２底面部３６を上下に貫通する排水孔３６１が形成されている。そして、障子ストッパー２０は、切欠き３５２に挿通されて屋外側立上り片部３５よりも屋外側に突出する突出部２４と、この突出部２４よりもさらに屋外側に突出して排水孔３６１の上側を覆うカバー部２５とを有して形成されている。突出部２４は、ストッパー本体２１の上面と略フラットな高さ寸法を有し、縦枠４の屋外側延出片部４５先端と下枠３の屋外側立上り片部３５における切欠き３５２側の端縁とに当接して設けられている。このような突出部２４の屋外側立上り片部３５からの突出寸法は、図３に示すように、当該突出部２４の屋外側側面に網戸８の縦框１７下端部側面が摺接可能な程度に設定されている。カバー部２５は、突出部２４と同一の見付け方向幅寸法を有するとともに、その下面が第２底面部３６の上面に当接しつつ、屋外側先端部が網戸レール部３７の近傍まで延びて形成されている。また、カバー部２５の上面は、ストッパー本体２１および突出部２４よりも低い高さ位置に設けられ、図３に示すように、このカバー部２５の上側を網戸８の縦框１７が通過可能な程度の高さに設定されている。
【００１８】
以上のような下枠３の長手方向一端部における排水構造としては、先ず、屋内側の凹溝３Ｄや屋外側の凹溝３Ｅに入った雨水等は、下枠底面部３１に形成された図示しない貫通孔から下枠中空部３Ｆに落ちて下面部３２上面を流れ、仕切り片３２１に形成された図示しない貫通孔を通って屋外見付け面部３２２まで到達し、排水弁３Ｇを介して屋外に排水される。また、凹溝３Ｅの雨水等の一部は、屋外側立上り片部３５の切欠き３５２から下枠第２中空部３Ｈに落ち、下枠第２下面部３８の排水孔３８１から屋外に排水される。さらに、屋外側立上り片部３５と網戸レール部３７との間に入った雨水等は、第２底面部３６上面を流れて障子ストッパー２０に到達し、そのカバー部２５の下面と第２底面部３６との隙間に入り込み、排水孔３６１を通って下枠第２中空部３Ｈに落ちて排水孔３８１から屋外に排水される。なお、排水孔３６１と排水孔３８１とは、下枠３の長手方向に沿った異なる見付け位置に設けられており、屋外側からの風雨による水が逆流しにくくなっている。
【００１９】
また、排水孔３８１には、屋外見付け面部３２２に設けた排水弁３Ｇのような部品が取り付けられておらず、排水孔３８１から下枠第２中空部３Ｈに虫等が入る可能性があるものの、排水孔３６１が障子ストッパー２０のカバー部２５で覆われていることから、第２底面部３６の上面側への虫等の侵入が防止できるようになっている。さらに、障子ストッパー２０の屋外側の支持片部２３と屋外側立上り片部３５との隙間寸法、および外レール部材３Ｃと屋外側立上り片部３５との隙間寸法は、それぞれ１．５mm以下あるいは２．５mm以下に設定され、隙間寸法が１．５mm〜２．５mmに設定された場合には、支持片部２３や外レール部材３Ｃと屋外側立上り片部３５とが互いに１０mm以上の重なり代で重なり合うように部材寸法が設定されている。このような隙間寸法や部材寸法に設定することで、下枠第２中空部３Ｈに入った虫等が切欠き３５２を介して障子ストッパー２０や外レール部材３Ｃよりも屋内側に侵入することが防止できるようになっている。
【００２０】
以上の実施形態によれば、障子ストッパー２０のカバー部２５で排水孔３６１を覆ったことで、下枠３における排水性および防虫性を確保しつつ、排水孔３６１，３８１に別途の排水弁や防虫部品を設ける必要がないことから、部品点数の増加に伴う製品コストの上昇を抑制することができる。さらに、排水孔３８１に排水弁等を設ける必要がなくなることから、下枠３の屋外側に多くの取付部品が露出することもないため、引違い窓１の外観意匠性を向上させることができる。また、障子ストッパー２０の突出部２４に網戸８の縦框１７下端部側面を摺接させることで、摺接による摩擦抵抗によって網戸８の移動を拘束することができ、閉じた網戸８が風等によって不意に開くことを防止して防虫性をさらに高めることができる。
【００２１】
なお、本発明は、前記実施形態に限定されるものではなく、本発明の目的を達成できる他の構成等を含み、以下に示すような変形等も本発明に含まれる。
例えば、前記実施形態においては、室内外一対の障子６，７を有する引違い窓１を例示して説明したが、本発明の建具は、例えば、室内側障子６を窓枠５に移動不能に固定した外動片引き窓であってもよいし、固定障子に代えて壁パネル等の固定面材を有した外動片引き窓であってもよく、さらには、一対の可動面材が引き分け形式で開閉自在に支持された引き分け窓であってもよい。
【００２２】
また、前記実施形態では、枠体である窓枠５の上枠２、下枠３および縦枠４が樹脂製の枠本体２Ａ，３Ａ，４Ａを有し、面材である障子６，７の上框１１、下框１２および縦框１３が樹脂製の框本体１１Ａ，１２Ａ，１３Ａおよび押縁材１１Ｂ，１２Ｂ，１３Ｂを有して構成された樹脂建具を例示したが、本発明の建具において、枠体の枠材や面材の框材は樹脂製でなく金属製であってもよい。
さらに、前記実施形態では、下枠３の枠本体３Ａにおいて、下枠底面部３１と第２底面部３６とが段差を有し、第２底面部３６が下枠底面部３１よりも高い位置に設けられていたが、これに限らず、下枠底面部３１と第２底面部３６とがフラットに形成されていてもよいし、下枠底面部３１よりも第２底面部３６が低い位置に形成されていてもよい。
【００２３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２４】
１…引違い窓（建具）、３…下枠、３Ｃ…外レール部材（面材支持部）、５…窓枠（枠体）、７…室外側障子（面材）、８…網戸（防虫面材）、２０…障子ストッパー（当接部材）、２１…ストッパー本体（当接本体）、２２，２３…支持片部（支持部）、２４…突出部、２５…カバー部、３１…下枠底面部、３５…屋外側立上り片部（立上り片部）、３６…第２底面部、３７…網戸レール部（防虫面材支持部）、３５２…切欠き、３６１…排水孔。
【図１】
2012017623.tif 000003
【図２】
2012017623.tif 000004
【図３】
2012017623.tif 000005
【図４】
2012017623.tif 000006